(57)【要約】【課題】カートリッジ本体に反りや抜き勾配が存在しても、ガスバリア性フィルムを皺がよらない状態で貼り付けできる方法を提供する。【解決手段】カートリッジ本体６は支持棒１３にて回転自在に保持されており、加熱ローラ１４でガスバリア性フィルム５をカートリッジ本体６に押し付けることで、ガスバリア性フィルム５はカートリッジ本体６に巻き付けられながら貼り付いていく。加熱ローラ１４の回転でガスバリア性フィルム５を引き出していく工程で、ガスバリア性フィルム５はテーブル１５と押さえ板１６で挟持されている。ガスバリア性フィルム５がカートリッジ本体６に近い箇所において平坦に保持されていることにより、ガスバリア性フィルム５がカートリッジ本体６の軸方向にずれることが防止されて、皺の発生を防止できる。【選択図】図２
2015150846.tif 000002
【特許請求の範囲】
【請求項１】
一端から押し出し用プランジャが挿入される円筒状胴部の他端に端板が設けられたカートリッジ本体を製造する工程と、前記カートリッジ本体を回転させつつその外周にガスバリア性フィルムを巻き付けていく貼着工程とを備えており、
前記ガスバリア性フィルムの片面には熱溶融性接着剤層を設けており、前記貼着工程では、前記熱溶融性接着剤がカートリッジ本体に密着するようにガスバリア性フィルムを加熱ローラにて押し付けることにより、前記ガスバリア性フィルムをカートリッジ本体に巻き付けながら貼り付けていく方法であって、
前記貼着工程で、前記ガスバリア性フィルムは、少なくともカートリッジ本体に近い箇所において表裏から面接触する挟持部材にて平坦状に挟み保持されており、ガスバリア性フィルムが平坦状に挟み保持された状態で前記カートリッジ本体に向けて移動していく、
押し出し容器用カートリッジの製造方法。
【請求項２】
前記カートリッジ本体は樹脂を素材とした射出成形法によって全体が一体に製造されており、一端の外径よりも他端の外径が大径になるように抜き勾配を設けることで、成形機からの型抜きが容易ならしめられている、
請求項１に記載した押し出し容器用カートリッジの製造方法。
【請求項３】
請求項１に記載したカートリッジの製造方法に使用する装置であって、
前記カートリッジ本体をその外周面が露出した状態で回転自在に保持する挟持部材と、前記ガスバリア性フィルムをカートリッジ本体の外周面に押し付けつつ回転する加熱ローラと、ガスバリア性フィルムがカートリッジ本体に巻き取られることを許容しつつ当該ガスバリア性フィルムを少なくともカートリッジ本体に近い部位において表裏から挟持する挟持部材を備えており、前記表裏の挟持部材は、ガスバリア性フィルムに面接触するように面的な広がりを持っている、
押し出し容器用カートリッジの製造装置。
【請求項４】
請求項１又は２に記載した製法で製造されたカートリッジと、前記カートリッジの内部に挿入される押し出し用プランジャとを有しており、前記プランジャは、結晶核剤入りポリエチレンを素材として射出成形法によって製造されている、
押し出し容器。
【発明の詳細な説明】
【技術分野】
【０００１】
本願発明は、円筒状のカートリッジに充填された内容物がプランジャによって押し出される押し出し容器と、これに使用するカートリッジの製造方法及び製造装置に関するものである。
【背景技術】
【０００２】
建築用シール剤のような高粘度樹脂組成物を包装する押し出し容器は、良く知られているように、細長い円筒状のカートリッジとその内部に挿入したプランジャとを有している。カートリッジは、一端を開口した胴部の他端に端板が繋がっていて端板には雄ねじ付き注出筒が外向きに突出している形態になっており、一般に、注出筒をアルミ箔（メンブレン）等で内側から封止している（注出筒の先端を閉じた状態に成形して、使用に際しては注出筒の先端を刃物で切除するタイプもある。）。
【０００３】
そして、カートリッジに内容物を充填してからカートリッジの他端よりプランジャを嵌め込んでおり、注出筒にノズルをねじ込みによって装着して、専用の押し出しガンに装填して使用される。シール剤には、シリコーン系、変性シリコーン系、アルリル系、ポリウレタン系、アクリルウレタン系、ポリサルファイド系など各種のものがある。
【０００４】
カートリッジを素材・構造から見ると、全体が樹脂の射出成形で一体成形されたもの、胴部を紙製（紙管）としてこれに端板と注出筒とが一体に繋がった樹脂製の蓋部（或いは頭部）を固着したもの、及び、胴部に樹脂の押し出し品を使用してこれに樹脂製蓋部を接合したものに大別される。また、プランジャは樹脂の成形品が多いが、金属板製のものも一部で使用されている。
【０００５】
カートリッジ及びプランジャの素材として樹脂を使用する場合は、一般に低密度ポリエチレン又は高密度ポリエチレンが使用されている。しかし、内容物が変性シリコーン系シール剤のように水分（水蒸気）との反応性が高い材質である場合は、短期間で内容物が変質硬化してしまう問題があった。従って、内容物によってはカートリッジ及びプランジャとも高いガスバリア性（水蒸気遮蔽性）が要請される。
【０００６】
そこで、カートリッジのガスバリア性を高める手段として、その外周にアルミ箔を主体としたガスバリア性フィルムを貼り付けることが提案され、或いは実施されている。その例として、例えば特許文献１〜３が挙げられる。
【０００７】
このうち特許文献１では、ガスバリア性フィルムはアルミ箔と樹脂フィルム（ポリプロピレンフィルム）との２層構造になっており、ガスバリア性フィルムは、その周縁部に塗布したホットメルト接着剤によってカートリッジ本体に貼り付けられている。
【０００８】
他方、特許文献２では、ガスバリア性フィルムは、外側を構成する熱可塑性又は熱硬化製の樹脂層、中間に位置したアルミ層、カートリッジ本体に重なる加熱溶融型接着剤層の三層になっており、ガスバリア性フィルムの全体がカートリッジ本体に接着されている。特許文献１，２が対象にしているカートリッジ本体は全体が射出成形で一体成形されているが、ガスバリア性フィルムを貼り付ける具体的な方法は記載されていない。
【０００９】
特許文献３は、押し出し品よりなる胴部に端板を接合したタイプのカートリッジ本体を対象にしており、ガスバリア性フィルムが吸着された弾性ドラムとロッドで回転自在に保持されたカートリッジ本体とを平行に配置し、ドラムをその外周がカートリッジ本体に当接した状態で回転させることにより、ガスバリア性フィルムをカートリッジ本体に貼り付けている。
【００１０】
この特許文献３では、ガスバリア性フィルムには感熱接着剤層が設けられており、ガスバリア性フィルムは、感熱接着剤層を外側に露出させた状態で弾性ドラムに配置されている。他方、カートリッジ本体は予熱されており、このため、弾性ドラムでガスバリア性フィルムをカートリッジ本体に押し当てることで、ガスバリア性フィルムがカートリッジ本体に貼り付けられる。
【先行技術文献】
【特許文献】
【００１１】
【特許文献１】特許第３８６３６９６号公報
【特許文献２】特許第４９１９５６３号公報
【特許文献３】特許第４０９６１１６号公報
【発明の概要】
【発明が解決しようとする課題】
【００１２】
さて、特許文献３のようにカートリッジ本体を胴部と端板との複合品にすると、胴部として押し出し品を使用できるため、カートリッジ本体はどの部位も外径及び内径が等しいストレート構造にすることができる。従って、特許文献３のような工程でガスバリア性フィルムを皺がない状態に貼り付けることができる。しかし、工程が複雑化するためコストアップは避けられないのみならず、端板が外れたり接合不良によってシール性が損なわれたりする問題もある。
【００１３】
他方、カートリッジ本体の全体を射出成形法で製造すると、コスト面において有利であるのみならず、端板の外れのような問題は皆無で信頼性が高い利点があるが、型抜きの容易性のためにカートリッジ本体の外周に抜き勾配（テーパ）がついていることから、ガスバリア性フィルムを皺がない状態に綺麗に貼るのが難しいという問題がある。また、カートリッジ本体は細長い形状であるため、型抜き時の抵抗によって反ったり、成形収縮によって反ったりすることも多く、この反りによってガスバリア性フィルムが皺になることも多かった（現実的には、皺の原因は抜き勾配よりも反りが大きく影響していると推測される。）。
【００１４】
一体成形タイプのカートリッジ本体については、特許文献１，２のように外周にガスバリア性フィルムを貼る技術は多々提案されているが、上記したような抜き勾配と反りとに起因した問題によって皺が発生するため、商品化されるには至っていないのが現状である。
【００１５】
本願発明は、かかる現状を改善すべく成されたものである。
【課題を解決するための手段】
【００１６】
本願発明者たちは、当初、ガスバリア性フィルムをローラによってカートリッジ本体に向けて繰り出す方法を試してみた。しかし、皺の発生を防止することはできなかった。そこで、皺が発生するメカニズムを子細に検討して、ガスバリア性フィルムがカートリッジ本体に引かれて自由に変形するために皺が発生していると思い至った。
【００１７】
すなわち、ガスバリア性フィルムはカートリッジ本体の回転によって引かれるが、カートリッジ本体の反りやテーパのためにガスバリア性フィルムに対する引っ張り力がカートリッジ本体の軸方向の各部位で強弱があり、このため、ガスバリア性フィルムに対する引っ張り力が不均一になって、ガスバリア性フィルムがカートリッジ本体の軸方向に部分的にずれる現象が発生し、そのために皺が発生していると理解するに至った。
【００１８】
そして、カートリッジ本体による引っ張り力がカートリッジ本体の軸方向の各部位で不均一であっても、ガスバリア性フィルムがカートリッジ本体の軸方向にずれないように保持されておれば皺は発生しないであろうと着想し、試作と研究を重ねることで本願発明に至った。
【００１９】
本願発明（請求項１の発明）の方法は、一端から押し出し用プランジャが挿入される円筒状胴部の他端に端板が設けられたカートリッジ本体を製造する工程と、前記カートリッジ本体を回転させつつその外周にガスバリア性フィルムを巻き付けていく貼着工程とを備えており、前記ガスバリア性フィルムの片面には熱溶融性接着剤層を設けており、前記貼着工程では、前記熱溶融性接着剤がカートリッジ本体に密着するようにガスバリア性フィルムを加熱ローラにて押し付けることにより、前記ガスバリア性フィルムをカートリッジ本体に巻き付けながら貼り付けていく基本方法である。
【００２０】
そして、前記貼着工程で、前記貼着工程で、前記ガスバリア性フィルムは、少なくともカートリッジ本体に近い箇所において表裏から面接触する挟持部材にて平坦状に挟み保持されており、ガスバリア性フィルムが平坦状に挟み保持された状態で前記カートリッジ本体に向けて移動していく。本願発明では、ガスバリア性フィルムは、カートリッジ本体にできるだけ近い部分まで平坦姿勢に保持しておくのが好ましい。
【００２１】
本願発明でいう「平坦状に保持」とは、ガスバリア性フィルムに対して面接触する部材で、カートリッジ本体の軸方向と接線方向との両方向に面的な広がりを持った状態で表裏から押さえられているという意味である。従って、カートリッジ本体の軸方向から見てガスバリア性フィルムが湾曲していることは差し支えない。
【００２２】
本願発明は様々な構成を含んでいるが、その例として、請求項２では、前記カートリッジ本体は樹脂を素材とした射出成形法によって全体が一体に製造されており、一端の外径よりも他端の外径が大径になるように抜き勾配を設けることで、成形機からの型抜きが容易ならしめられている。
【００２３】
本願発明は、請求項１に記載したカートリッジの製造方法に使用する装置も含んでいる。この装置は、請求項３のとおり、前記カートリッジ本体をその外周面が露出した状態で回転自在に保持する挟持部材と、前記ガスバリア性フィルムをカートリッジ本体の外周面に押し付けつつ回転する加熱ローラと、ガスバリア性フィルムがカートリッジ本体に巻き取られることを許容しつつ当該ガスバリア性フィルムを少なくともカートリッジ本体に近い部位において表裏から挟持する挟持部材を備えており、前記表裏の挟持部材は、ガスバリア性フィルムに面接触するように面的な広がりを持っている。
【００２４】
更に本願発明は押し出し容器も含んでおり、この押し出し容器は、請求項４に記載したように、請求項１又は２に記載した製法で製造されたカートリッジと、前記カートリッジの内部に挿入される押し出し用プランジャとを有しており、前記プランジャは、結晶核剤入りポリエチレンを素材として射出成形法によって製造されている。
【発明の効果】
【００２５】
本願発明の製法及び装置によると、ガスバリア性フィルムがカートリッジ本体に近い部位において平坦状に保持されているため、カートリッジ本体に反りやテーパがあってガスバリア性フィルムに対する引っ張りが軸方向に不均一なっても、ガスバリア性フィルムがカートリッジ本体の軸方向にずれる現象を防止できる。その結果、ガスバリア性フィルムをピンと張った状態でカートリッジ本体に貼着することができる。
【００２６】
従って、請求項２のようにカートリッジ本体の全体を射出成形法で製造したカートリッジであっても、ガスバリア性フィルムを皺がない張った状態に貼ることができて、商品価値を高めることができる。なお、抜き勾配（テーパ）や反りがあってもガスバリア性フィルムを皺のない状態に貼ることができるのでから、カートリッジ本体として紙管や押し出し品を使用したカートリッジについても問題なく適用できる。従って、本願発明は、胴部として紙管を使用したカートリッジや押し出し品を使用したカートリッジを排除するものではない。
【００２７】
さて、結晶核剤は溶融した樹脂が固まって結晶化するに際して結晶の核となるものであり、樹脂の結晶化を促進して成形サイクルを短縮したり、結晶の大きさを均一化してヒケを防止したり硬度を高めたりする機能を持っている。そして、結晶化の促進によってカートリッジ及びプランジャが緻密構造になり、その結果、ガスバリア性を向上できる。この点は本願出願人が特開２０１０−２０８１９３号公報で開示したとおりであり、本願請求項３の押し出し容器を採用すると、プランジャにガスバリア性フィルムを貼るような手間をかけることなく、押し出し容器の全体のガスバリア性を向上できる。
【００２８】
なお、結晶核剤を混入したことによるガスバリア性はガスバリア性フィルムを貼ったことによるガスバリア性よりも低いが、プランジャでカートリッジ本体の内部を塞いでいる面積は、カートリッジ本体で内容物を覆っている面積に比べると僅かであるので、商品が製造されてから消費されるまでの時間を考慮すると、殆どの内容物について変質しない程度のガスバリア性を確保することができる。つまり、ガスバリア性フィルムで巻かれたカートリッジ本体とは核剤入りプランジャとの組み合わせにより、ガスバリア性に優れた押さえ板をできるだけ低コストで提供できるのである。
【図面の簡単な説明】
【００２９】
【図１】実施形態に係る押し出し容器を示す図で、（Ａ）は正面図、（Ｂ）は一部破断側面図、（Ｃ）は分離した縦断側面図である。
【図２】第１実施形態の方法及び装置を説明するための図で、（Ａ）は縦断側面図、（Ｂ）はガスバリア性フィルムの断面図である。
【図３】図２（Ａ）のIII-III 視平断面図である。
【図４】図２（Ａ）の IV-IV視断面図である。
【図５】（Ａ）は図２（Ａ）と同じ方向から見た縦断側面図、（Ｂ）はカートリッジ本体の端部での（Ａ）のＢ−Ｂ視断面図である。
【図６】ガスバリア性フィルムの貼着工程を示す図である。
【図７】（Ａ）はガスバリア性フィルムの貼着工程を示す図、（Ｂ）は貼着終了後のカートリッジの断面図、（Ｃ）は貼着終了後のカートリッジの正面図である。
【図８】（Ａ）は第２実施形態の装置の要部の縦断側面図、（Ｂ）は第２実施形態におけるガスバリア性フィルムの送り工程での部分拡大断面図、（Ｃ）は第３実施形態を示す縦断側面図である。
【発明を実施するための形態】
【００３０】
(1).カートリッジの概略
次に、本願発明の実施形態を説明する。まず、図１に基づいてカートリッジ及びプランジャの形態を説明する。
【００３１】
カートリッジ１とプランジャ２との基本形態は従来と同様であり、まず、カートリッジ１は、胴部（円筒形の胴部）３とその一端に繋がったリング板状の端板４、及び、胴部３の外周に貼られたガスバリア性フィルム５から成っており、胴部３と端板４とでカートリッジ本体６が構成されて、カートリッジ本体６とガスバリア性フィルム５とでカートリッジ１が構成されている。
【００３２】
端板４には注出筒７が一体に設けられており、注出筒７の外周には、ノズル（図示せず）をねじ込むための雄ねじが形成されている。端板４のうち胴部３に繋がっている端部は厚肉部４ａになっている。従って、端板４には外向きの環状凹所が形成されている。胴部３の全長は約２１５ｍｍ、胴部３の外径は約５０ｍｍ、胴部３の肉厚はおおよそ１．３ｍｍであった。
【００３３】
プランジャ２は、底板８とこれに一体に繋がった筒部９とで有底筒状の形態になっており、当然ながら、底板８先にした姿勢でカートリッジ１に嵌め込まれる。本実施形態では、筒部９の外周には３条のリブ１０を形成している。胴部３の肉厚は約１ｍｍであった。カートリッジ１における端板４の内面には、注出筒５を内側から塞ぐための遮蔽手段（メンブレン）の一例として封止用アルミ箔１１が貼られている。
【００３４】
カートリッジ１とプランジャ２は、それぞれ高密度ポリエチレンを素材にして射出成形法で一体に形成されているが、プランジャ２を製造するに当たっては、結晶核剤が添加（配合）された高密度ポリエチレンを使用している。結晶核剤は樹脂ペレットの製造過程で添加（配合）されており、従って、射出成形機には結晶核剤入りの高密度ポリエチレンペレットが投入される。
【００３５】
前記特開２０１０−２０８１９３号公報に開示したように、結晶核剤としては、アルキルフェノール類の環状リン酸エステル金属塩等のリン酸塩系のもの、ソルピトール系のもの、安息香酸ナトリウム等の安息香酸塩系のもの、ノルボルネンジカルボン酸塩系もの、芳香属有機リン酸ジエステルと高級脂肪酸とを組み合わせたものなど各種のものを使用できる。結晶核剤は内掛けで２．５ｗｔ％程度配合している。なお、プランジャ２は、結晶核剤が添加されていないものも使用できる。
【００３６】
カートリッジ本体は、その外面を形成する外型（キャビ）と内面を形成するコアとを使用して成形される。外型のうち端板４と注出筒５とを成形する部分は２つ割式の割型になっているが、胴部３を成形する部分は一体構造であり、そこで、型抜きを容易ならしめるため、胴部３の外径には、開口している一端部が大径で端板４の側の他端が小径となるような抜き勾配（テーパ）が僅かながら付けられている。
【００３７】
(2).製法及び装置の第１実施形態
ガスバリア性フィルム５は胴部３の外周のうち一端部と他端部との僅かの範囲を除いた大部分に貼られており、撒き始めの始端部５ａと終端部５ｂとは重なり合っている。以下、ガスバリア性フィルム５の貼着方法（製造方法）及び貼着装置（製造装置）に関する第１実施形態を、図２〜図７に基づいて説明する。なお、以下の説明で、方向を特定するため前後・左右の文言を使用するが、カートリッジ本体６の軸線と直交した水平方向（ガスバリア性フィルム５の移動方向）を前後方向としている。
【００３８】
まず、装置の構造を説明する。本実施形態の装置は、主要要素として、図２に示すように、カートリッジ本体６を水平姿勢に回転自在に保持する支持棒１２と、その上に配置された加熱ローラ１３と、支持棒１２及び加熱ローラ１３を挟んだ片側に配置されたテーブル１４と、テーブル１４の上に配置された押さえ板１５を有している。
【００３９】
ガスバリア性フィルム５は、テーブル１４と押さえ板１５とで上下から挟まれた状態で、カートリッジ本体６の軸線と直交した方向に沿って、カートリッジ本体６に向けて移動する。請求項との関係では、支持棒１２は保持手段の一例であり、テーブル１４と押さえ板１５とは挟持部材の一例である（テーブル１４と押さえ板１５とは、ガスバリア性フィルム５の送り手段も兼用している。）。テーブル１４と押さえ板１５との先端部は、できるだけカートリッジ本体６に近づくように、全体としクチバシ状にカットされている。
【００４０】
加熱ローラ１３はある程度の寸法だけ昇降自在であり、図２では下降し切った状態を表示している。押さえ板１５はその上に配置された水平スライダ１６に複数本（４本）の押さえシリンダ１７を介して上下動自在に取付けられており、水平スライダ１６は、サイドフレーム１８にリニアガイド１９を介してスライド自在に装着されており、エア式又は電磁式の横移動用シリンダ２０によって水平移動する。押さえシリンダ１７はばねを内蔵しており、ガスバリア性フィルム５をテーブル１４に向けて弾性力に押さえることができる（ばねを使用せずに、エアーの圧力で押さえてもよい。）。
【００４１】
ガスバリア性フィルム５は、ロール（図示せず）に巻いたフィルム原反５′を所定の長さにカットして使用されており、フィルム原反５′を送りローラ２１で繰り出して、先端側の部分を後退した押さえ板１５で押さえて、その状態で材料フィルム５′をカッター２２で切断することで、必要な長さのガスバリア性フィルム５と成している。カッター２２は刃物を使用しているが、熱線式などの各種のものを使用できる。
【００４２】
図２（Ｂ）に示すように、ガスバリア性フィルム５は、表から順に、樹脂層の一例としてのＰＥＴ層２３、アルミ箔（アルミ層）２４、樹脂層の一例としてのポリエチレン層２５、ホットメルト接着剤層２６の四層構造になっている。ホットメルト接着剤層２６は熱溶融性接着剤の一例であるが、熱溶融性接着剤として熱可塑性フィルム層を使用することも可能である。
【００４３】
本実施形態ではホットメルト接着剤層２６が下向きになっており、これがテーブル１４の上面を滑り移動していくが、ホットメルト接着剤層２６は樹脂層に比べて摩擦抵抗が大きい。そこで、図２に一点鎖線で示すように、テーブル１４の上面を、摩擦係数が小さい部材１４ａで構成することが好ましい。摩擦係数が小さい部材１５ａとしては、ナイロン樹脂やＰＯＭ樹脂のような硬質樹脂や、金属にテフロン（登録商標）加工を施したものが挙げられる。押さえ板１５も硬質樹脂のような摩擦係数が小さい材料で構成することは好ましいことである。
【００４４】
図３に示すように、支持棒１２の一端部は、サイドフレーム１８に軸受け２８及びベアリング２９を介して回転自在に支持されている。支持棒１２はカートリッジ本体６を嵌め込むものであるから片持ち状態でサイドフレーム１８に支持されており、図５に示すように、端板４が支持棒１２の先端に当たることで位置が規定されている。
【００４５】
加熱ローラ１３は芯棒３０に耐熱弾性層（ゴム）３１を巻いた構成であり、芯棒３０の両端部はベアリング３２を介して軸受け３３に回転自在に保持されており、軸受け３３は、サイドフレーム１８の外面に配置された昇降スライダ３４に固定されている。昇降スライダ３４はリニアガイド３５によって昇降自在に保持されており、左右の昇降スライダ３４のうち片方の昇降スライダ３４にモータ３６を固定している。サイドフレーム１８には、軸受け３３の昇降を許容するための第１逃がし穴３７を空けている。
【００４６】
更に、図３及び図５に示すように、左右の昇降スライダ３４は可動ステー３８で連結されており、可動ステー３８の上に、左右のサイドフレーム１８に固定された固定ステー３９を配置し、固定ステー３９に固定した昇降シリンダ４０のピストンロッド４１に可動ステー３８の左右中間部を固定している。従って、昇降シリンダ４０を駆動することで、左右の昇降スライダ３４を介して加熱ローラ１３が昇降する。サイドフレーム１８には、可動ステー３９の昇降を許容するための第２逃がし穴４２を設けている。
【００４７】
図５に示すように、加熱ローラ１３はヒータ４４で外側から加熱される。ヒータ４４はブラケット（図示せず）を介して左右サイドフレーム１８に固定されているが、ブラケットを介して昇降スライダ３４に取付けることも可能である。或いは、ヒータを加熱ローラ１３に内蔵してもみらい（この場合は、ブラシを介してヒータに通電したらよい。）。
【００４８】
既述の水平スライダ１６は、その左右両端がそれぞれ左右のサイドフレーム１８にリニアガイド１９でスライド自在に保持されている。横移動用シリンダ２０は、左右サイドフレーム１８に架け渡したリアステー４５（図２，４参照）に固定されている。
【００４９】
(3).第１実施形態のまとめ
次に、図６，７を参照してガスバリア性フィルム５の貼着工程を説明する。まず、図６（Ａ）に示すように、押さえ板１５を後退かつ上昇させた状態でフィルム原反５′を必要な長さだけ繰り出してから、図６（Ｂ）のとおり、押さえ板１５を下降させてガスバリア性フィルム５を押さえた状態で、カッター２２でフィルム原反５′をカットする。
【００５０】
次いで、図６（Ｃ）のように押さえ板１５を下降させたまま前進させて、図６（Ｄ）のように、ガスバリア性フィルム５の先端がカートリッジ本体６の真上に位置させた状態で送りを停止、その状態で加熱ローラ１３を下降させて、図７（Ａ）のように、加熱ローラ１３を回転させることで、ガスバリア性フィルム５をカートリッジ本体６に巻き付けながらカートリッジ本体６を連れ回転させていく。
【００５１】
この状態では、ガスバリア性フィルム５は押さえ板１５にてテーブル１４に押さえられた状態に保持されている。換言すると、ガスバリア性フィルム５はテーブル１４と押さえ板１５とで挟持されており、ガスバリア性フィルム５は、テーブル１４及び押さえ板１５の挟み作用による摩擦に打ち勝つ状態で引き出されて、カートリッジ本体６に巻き付けられていく。
【００５２】
ガスバリア性フィルム５の長さはカートリッジ本体６の円周の長さよりも少し長く設定しており、このため、ガスバリア性フィルム５の終端部５ｂは始端部５ａに重なっている。これにより、カートリッジ本体６は周方向に途切れることなくガスバリア性フィルム５で覆われている。
【００５３】
本実施形態の特徴は、テーブル１４と押さえ板１５とがガスバリア性フィルム５に広い範囲で面接触していて、ガスバリア性フィルム５がテーブル１４と押さえ板１５とで平坦な状態に挟持されてカートリッジ本体６に巻き付けられていくことであり、ガスバリア性フィルム５はテーブル１４と押さえ板１５とによる挟持作用によってカートリッジ本体６の軸方向にずれ不能に保持されているため、カートリッジ本体６の反りや抜き勾配の起因してガスバリア性フィルム５の引っ張り力がカートリッジ本体６の軸方向に沿って異なっても、ガスバリア性フィルム５はカートリッジ本体６の軸方向にずれることなくカートリッジ本体６に移行していく。これにより、カートリッジ本体６に反りやテーパがあっても、ガスバリア性フィルム５は、皺がよることなくピンと張った状態でカートリッジ本体６に巻き付け貼着されていく。
【００５４】
本実施形態では、ガスバリア性フィルム５の殆ど大部分を押さえ板１５で押さえているが、カートリッジ本体６に近い先端側のある程度の範囲（例えば数センチ）のみを押さえ板１５で押さえてもよい。また、既述のとおり、テーブル１４と押さえ板１５との先端はできるだけカートリッジ本体６に近いのが好ましいので、両者が成す角度をできるだけ小さくして、先端をカートリッジ本体６の上端に近接させると好適である。
【００５５】
(4).他の実施形態・その他
図８では他の実施形態を示している。（Ａ）（Ｂ）は第２実施形態であり、この実施形態では、ガスバリア性フィルム５の通路を挟んだ上に支持棒１２を配置して下に加熱ローラ１３を配置している。ヒータ４４は加熱ローラ１３の下方に配置しており、加熱ローラ１３とヒータ４４とは一緒に昇降するようになっている。
【００５６】
この実施形態では、ガスバリア性フィルム５は、ホットメルト接着剤層２６を上向きにした姿勢で送られる。従って、押さえ板１５を摩擦係数の小さい素材で製造するか、押さえ板１５の下面のみを摩擦が小さい材料で構成するのが好ましい。
【００５７】
上記の２つの実施形態はテーブル１４は固定式であったが、図８（Ｃ）に示す第３実施形態では、固定式のテーブルは使用せず、上下の挟持部材４７，４８の両方が一緒に水平動するように構成している。敢えて述べるまでもないが、挟持部材４７，４８は互いに密着・離反するように相対動自在であり、ガスバリア性フィルム５を両者で挟んでから、カートリッジ本体６に向けて移動させ、ガスバリア性フィルム５は、カートリッジ本体６及び加熱ローラ１３の回転に連れて、上下挟持部材４７，４８から引き出される。
【００５８】
本願発明は、上記の実施形態の他にも様々に具体化できる。例えば、実施形態では加熱ローラを昇降させたが、加熱ローラを固定式として、支持棒を上下方向等に移動させることも可能である。また、押さえ板のような保持手段は水平移動させる必然性はないのであり、ガスバリア性フィルムを挟む機能があれば足りる。押さえ板等の可動部材を動かす機構は種々選択できる。ガスバリア性フィルムは、アルミ層を備えずに樹脂のみで構成することも可能である。カートリッジ本体は、支持棒にセットする前に予熱しておいてもよい。
【産業上の利用可能性】
【００５９】
本願発明は、シール剤等の押し出し容器やカートリッジの製法及び製造装置に具体化できる。従って、産業上利用できる。
【符号の説明】
【００６０】
１  カートリッジ
２  プランジャ
３  胴部
４  端板
５  ガスバリア性フィルム
６  カートリッジ本体
１３  カートリッジ本体の支持手段の一例としての支持棒
１４  加熱ローラ
１５  ガスバリア性フィルムの保持手段を構成するテーブル
１６  ガスバリア性フィルムの保持手段を構成する押さえ板
１７  押さえシリンダ
１８  サイドフレーム（機枠）
２０  横移動用シリンダ
２２  カッター
２６  ガスバリア性フィルムのホットメルト接着剤層
３６  モータ
４０  昇降シリンダ
４４  ヒータ
【図１】
2015150846.tif 000003
【図２】
2015150846.tif 000004
【図３】
2015150846.tif 000005
【図４】
2015150846.tif 000006
【図５】
2015150846.tif 000007
【図６】
2015150846.tif 000008
【図７】
2015150846.tif 000009
【図８】
2015150846.tif 000010